(57)【特許請求の範囲】
【請求項１】
側面成形面に折線を介して平面成形面を設け、この平面成形面に折線を介して端部垂直面成形面および側部垂直面成形面を設け、上記側面成形面の上記平面成形面の対辺側に垂直面成形面を両側に設けた底面を設け、上記垂直面成形面には夫々製品挿入孔を設け、上記底面および垂直面成形面に連続して他の側面成形面を設け、さらに、折線を介して中央部つなぎ成形面を設け、さらに折線を介して側面成形面を設け、順次連続して製品挿入孔を有する垂直面成形面を両側に設けた底面、側面成形面、平面成形面およびこの平面成形面に折線を介して端部垂直面成形面および側部垂直面成形面を設けた矩形シートと、この矩形シートを折って収納する箱とで構成した包装箱。
【発明の詳細な説明】
【０００１】
【発明の属する技術分野】
本発明は電子部品等に使用される包装箱に関するものである。
【０００２】
【従来の技術】
地球環境保護の目的で製品の包装用発泡スチロール使用に対する規制が強化されている中で、脱発泡スチロールの包装材での落下試験における強度保証が必要となってきた。
【０００３】
以下に従来の包装箱についてスピーカの包装箱を例に図８、図９により説明する。
【０００４】
図８は発泡スチロールを包装材として用いたものである。すなわち、立方体の片面をスピーカ２２及びグリル２３の形状に合せた発泡スチロール２１の切り欠き部にスピーカ２２及びグリル２３を収め、発泡スチロール２１でスピーカ２２を覆い被せるようにして箱に収納するものであった。
【０００５】
図９は段ボールを包装材として用いたものであり、箱型の中仕切２４にスピーカ２６の重心を保持する箱型中仕切２５を入れ、スピーカ２６の界磁部を箱型中仕切２５に保持しながら中仕切２４にスピーカ２６を入れるように構成していた。
【０００６】
【発明が解決しようとする課題】
図８のような発泡スチロールを包装材とするものは、リサイクルしやすい紙（段ボール）製に移行されつつあり、また、図９のような段ボールを包装材として使用したものは、スピーカ２６全体を覆い被せるような構造にするため、材料面積が広くなり箱型に構成するための労務費アップになっている。また、包装落下テストに耐えうる構造にするためには、箱型中仕切２５が必要となり、発泡スチロールに比べ部品点数が増えるとともに組立工数アップによる労務費アップ等の課題があった。
【０００７】
本発明は以上のような従来の欠点を除去した包装箱を提供することを目的とするものである。
【０００８】
【課題を解決するための手段】
前記課題を解決するために本発明は、側面成形面に折線を介して平面成形面を設け、この平面成形面に折線を介して端部垂直面成形面および側部垂直面成形面を設け、上記側面成形面の上記平面成形面の対辺側に垂直面成形面を両側に設けた底面を設け、上記垂直面成形面には夫々製品挿入孔を設け、上記底面および垂直面成形面に連続して他の側面成形面を設け、さらに、折線を介して中央部つなぎ成形面を設け、さらに折線を介して側面成形面を設け、順次連続して、製品挿入孔を有する垂直面成形面を両側に設けた底面、側面成形面、平面成形面およびこの平面成形面に折線を介して端部垂直面成形面および側部垂直面成形面を設けた矩形シートと、この矩形シートを折って収納した箱とで構成され、１枚の矩形シートで一対のスピーカを収納できる包装箱を提供できるものである。
【００１１】
【発明の実施の形態】
請求項１に記載の発明は、側面成形面に折線を介して平面成形面を設け、この平面成形面に折線を介して端部垂直面成形面および側部垂直面成形面を設け、上記側面成形面の上記平面成形面の対辺側に垂直面成形面を両側に設けた底面を設け、上記垂直面成形面には夫々製品挿入孔を設け、上記底面および垂直面成形面に連続して他の側面成形面を設け、さらに、折線を介して中央部つなぎ成形面を設け、さらに折線を介して側面成形面を設け、順次連続して、製品挿入孔を有する垂直面成形面を両側に設けた底面、側面成形面、平面成形面およびこの平面成形面に折線を介して端部垂直面成形面および側部垂直面成形面を設けた矩形シートと、この矩形シートを折って収納した箱とで構成され、１枚の矩形シートで一対のスピーカを収納できる包装箱を提供できるものである。
【００１２】
以下、本発明の実施の形態に至る改善例とともに、本発明の一実施の形態について図１〜図７により説明する。
（改善例１）
図１は改善例の包装箱の要部である矩形シートの展開図であり、図２は同矩形シートを折曲して箱に収納し、包装箱を形成することを説明する斜視図である。
【００１３】
同図によると１は矩形シートであり、中央部に谷折線２を設け、この谷折線２の両端から外側に向けて山折線３を設け、中央部の谷折線２と山折線３との交点を起点として、外側に向けて谷折線４を設けたものである。山折線３を内側に折曲することで、谷折線４および谷折線２が折曲し、垂直面成形面６および側面成形面５を隆起するように構成されている。
【００１４】
従って、上記矩形シート１を図２のごとく箱３０に挿入することにより、上記矩形シート１は側面成形面５が隆起した状態となり、矩形シート１の垂直面成形面６および側面成形面５で囲まれる空間が収納部分となり、この矩形シート１は緩衝材の役割を果たすことになる。
【００１５】
（改善例２）
図３は同他の改善例の要部である矩形シートの展開図であり、同図４は矩形シートを折曲して箱に収納し、包装箱を形成することを説明する斜視図である。
【００１６】
同図によると、１Ａは矩形シートであり、中央部に複数の谷折線２Ａと直交する複数の直交折線７Ａを設け、谷折線２Ａの延長部分に山折線３Ａを設けるとともに直交折線７Ａと谷折線２Ａとの交点から外側に向けての他の谷折線４Ａを設けたものである。
【００１７】
従って、上記各折線２Ａ，３Ａ，４Ａを折曲し、箱３０Ａに矢印Ｆの方向に入れることにより、箱３０Ａ内で矩形シート１Ａは垂直面成形面６Ａ、側面成形面５Ａ、底面成形面８Ａが形成され、収納部を形成するとともに、他の谷折線４Ａで形成される突出部を箱３０Ａのコーナに当接させることによって緩衝材の役割を果たせるものである。
以上のように、上記改善例は１枚の矩形シートで収納部を形成して、包装材料の削減と包装箱の組立工数の削減を可能としたものであるが、本発明は改善例を発展させ、１枚の矩形シートで一対のスピーカの収納を可能とする収納部を形成した包装箱を提供するものである。
【００１８】
（実施の形態１）
図５は本発明の一実施の形態の包装箱の要部である矩形シートの展開図であり、図６はこの矩形シートを折曲して箱への挿入状態を示す斜視図であり、図７はスピーカを収納する状態を示す斜視図である。
【００１９】
同図によると１Ｂは第１の側面成形面５Ｂに折線９Ｂを介して第１の平面成形面１１Ｂを設け、この第１の平面成形面１１Ｂに折線１２Ｂ，１４Ｂを介して第１の端部垂直面成形面１３Ｂおよび第１の側部垂直面成形面１５Ｂを設け、上記第１の側面成形面５Ｂの上記第１の平面成形面１１Ｂの対辺側に第１の垂直面成形面６Ｂを両側に設けた第１の底面３１Ｂを設け、上記第１の垂直面成形面６Ｂには夫々製品挿入孔１６Ｂを設け、上記第１の底面３１Ｂおよび第１の垂直面成形面６Ｂに連続して第２の側面成形面５Ｃを設け、さらに、折線９Ｃを介して中央部つなぎ成形面１０Ｂを設け、さらに折線９Ｄを介して第３の側面成形面５Ｄを設け、順次連続して、第２の製品挿入孔１６Ｃを有する第２の垂直面成形面６Ｃを両側に設けた第２の底面３１Ｃ、第４の側面成形面５Ｅ、第２の平面成形面１１Ｃおよびこの第２の平面成形面１１Ｃに折線１２Ｃ，１４Ｃを介して第２の端部垂直面成形面１３Ｃおよび第２の側部垂直面成形面１５Ｃを設けた矩形シートであり、図６のごとく折ったこの矩形シート１Ｂを収納した箱３０Ｂとで包装箱は構成される。
【００２０】
２１はスピーカであり、スピーカユニット１８、スピーカグリル１９、パンチングネット２０で構成されている。図７のごとく製品挿入孔１６Ｂ，１６Ｃを有する第１、第２の垂直面成形面６Ｂ，６Ｃの上下を前後に折曲し、一対のスピーカユニット１８他を上記製品挿入孔１６Ｂ，１６Ｃに載置するようにして、１枚の矩形シート１Ｂによって一対のスピーカ２１は収納保持されるものである。
【００２１】
【発明の効果】
以上のように、本発明の包装箱は１枚の矩形シートで一対のスピーカの収納部を形成するので、包装材料の削減と包装箱の組立工数の削減を可能とするものである。
【図面の簡単な説明】
【図１】  本発明の実施の形態に至る改善例の包装箱の要部である矩形シートの展開図
【図２】  同矩形シートを折曲して箱に収納し、包装箱を形成することを説明する斜視図
【図３】  同他の改善例の要部である矩形シートの展開図
【図４】  同矩形シートを折曲して箱に収納し、包蔵箱を形成することを説明する斜視図
【図５】  本発明の一実施の形態の包装箱の要部である矩形シートの展開図
【図６】  同矩形シートを折曲して箱への挿入状態を示す斜視図
【図７】  同収納物であるスピーカを収納する状態を示す斜視図
【図８】  従来の発泡スチロールを用いた包装箱の要部である発泡スチロールの分解斜視図
【図９】  従来の段ボールを用いた包装箱の斜視図
【符号の説明】
１，１Ａ，１Ｂ  矩形シート
２，２Ａ  谷折線
３，３Ａ  山折線
４，４Ａ  谷折線
５，５Ａ  側面成形面
５Ｂ  第１の側面成形面
５Ｃ  第２の側面成形面
５Ｄ  第３の側面成形面
５Ｅ  第４の側面成形面
６，６Ａ  垂直面成形面
６Ｂ  第１の垂直面成形面
６Ｃ  第２の垂直面成形面
７Ａ  直交折線
９Ｂ，９Ｃ，９Ｄ，１２Ｂ，１２Ｃ，１４Ｂ，１４Ｃ  折線
１０Ｂ  中央部つなぎ成形面
１１Ｂ  第１の平面成形面
１１Ｃ  第２の平面成形面
１３Ｂ  第１の端部垂直面成形面
１３Ｃ  第２の端部垂直面成形面
１５Ｂ  第１の側部垂直面成形面
１５Ｃ  第２の側部垂直面成形面
１６Ｂ  製品挿入孔
１６Ｃ  第２の製品挿入孔
３０，３０Ａ，３０Ｂ  箱
３１Ｂ  第１の底面
３１Ｃ  第２の底面
【図１】
0003777639.tif 000002
【図２】
0003777639.tif 000003
【図３】
0003777639.tif 000004
【図４】
0003777639.tif 000005
【図５】
0003777639.tif 000006
【図６】
0003777639.tif 000007
【図７】
0003777639.tif 000008
【図８】
0003777639.tif 000009
【図９】
0003777639.tif 000010